(57)【要約】【課題】人体の筋肉を伸ばせることができ、そして人体のネック部、背部、腰部の関節をリラックスすることができる人体筋肉伸ばせ装置を提供する。【解決手段】台座と、伝動手段と、昇降手段と、蓋と、上蓋と、少なくとも一つの弾性具と、を含み、台座には、組付け部と、少なくとも一つの係り穴と、が成形され、伝動手段は、台座の組付け部に設けられ、二つの伝動ギヤと、モータと、を有し、二つの伝動ギヤは、一つの大径ギヤと、一つの小径ギヤと、をそれぞれ有し、モータは駆動軸を有し、昇降手段は、台座の組付け部に設けられ、二つのギヤ軸と、二つのブッシュと、二つの押付具と、二つのねじ軸と、を有し、蓋の周面には、台座の組付け部の組付け突起に対応する組付け窪みが複数成形され、上蓋は台座に合せるように枢着され、弾性具の両端にフックがそれぞれ設けられる。【選択図】図１
0003172226.tif 000002
【実用新案登録請求の範囲】
【請求項１】
台座と、伝動手段と、昇降手段と、蓋と、上蓋と、少なくとも一つの弾性具と、を含み、
前記台座には、組付け部と、少なくとも一つの係り穴と、が成形され、前記組付け部の周面に組付け突起が複数設けられ、前記組付け部には、溝と、二つの連接ピンと、二つの収容空間と、が成形され、
前記伝動手段は、前記台座の前記組付け部に設けられ、二つの伝動ギヤと、モータと、を有し、前記二つの伝動ギヤは、一つの大径ギヤと、一つの小径ギヤと、をそれぞれ有し、前記モータは駆動軸を有し、前記駆動軸は、前記二つの伝動ギヤの間に設けられ、前記二つの伝動ギヤの前記大径ギヤと噛合い、前記二つの伝動ギヤは、それぞれ前記台座の二つの連接ピンに挿通され、前記モータは前記台座の溝に設けられ、
前記昇降手段は、前記台座の前記組付け部に設けられ、二つのギヤ軸と、二つのブッシュと、二つの押付具と、二つのねじ軸と、を有し、前記ギヤ軸は、その中段にギヤが成形され、その両端には、規制溝と、円形を呈する収容空間と、がそれぞれ設けられ、前記二つのギヤ軸の前記ギヤは、それぞれ前記二つの伝動ギヤの前記小径ギヤと噛合い、前記規制溝は前記台座に向いているように設けられ、前記押付具は、多角形の断面形状を有し、前記ギヤ軸の前記収容空間に収容され、前記押付具の端部にねじ穴が設けられ、前記ブッシュに溝が設けられ、前記溝の底部には、前記押付具の形状に対応する多角穴が設けられ、前記ブッシュの前記溝は前記ギヤ軸の収容空間の外部をカバーし、前記ねじ軸の一端に規制ブロックが設けられ、前記ねじ軸の前記規制ブロックが前記規制溝に収容され、
前記蓋は、その周面には、前記台座の前記組付け部の前記組付け突起に対応する組付け窪みが複数成形され、前記台座の前記二つの連接ピンに応じて二つの挿入溝が成形され、前記台座の前記二つの収容空間に応じて二つの収容窪みが成形され、前記各収容窪みには、前記押付具の形状に対応する規制穴が設けられ、前記台座と前記蓋を合せて締結して、前記伝動手段の前記モータが前記台座の前記溝と前記蓋の間に位置し、前記二つの連接ピンは前記二つの伝動ギヤを挿通して前記蓋の前記二つの挿入溝に固定され、前記昇降手段の前記ギヤ軸は、前記台座の前記収容空間と前記蓋の前記収容窪みの間に収容され、
前記上蓋は、前記台座に合せるように枢着され、前記台座の係り穴に対応する箇所で少なくとも一つの係り穴が設けられ、
前記弾性具は、両端にフックがそれぞれ設けられ、前記二つのフックのうちの一つが前記台座の前記係り穴に係止され、前記二つのフックのうちの残りは、前記上蓋の前記係り穴に係止され、
前記伝動手段は前記昇降手段の前記ギヤ軸を駆動して、前記ギヤ軸が前記ねじ軸と共に回転し、且つ前記押付具は、前記蓋の前記規制穴に規制されて、前記ねじ軸に沿って変位し、これにより、前記上蓋の昇降を制御できることを特徴とする人体筋肉伸ばせ装置。
【請求項２】
前記台座と前記上蓋とには、二つの前記係り穴がそれぞれ設けられ、前記台座と前記上蓋の間に二つの前記弾性具が設けられ、前記台座と前記上蓋とに設けられる前記係り穴に、前記各弾性具の二つの前記フックをそれぞれ係止されていることを特徴とする、請求項１に記載の人体筋肉伸ばせ装置。
【請求項３】
前記上蓋の外部に押付面が設けられ、前記押付面に按摩玉が複数成形されることを特徴とする、請求項１に記載の人体筋肉伸ばせ装置。
【請求項４】
前記台座の前記二つの伝動ギヤに近接する周面に枢着部が設けられ、前記枢着部に四つの枢着溝が成形され、前記上蓋には、前記四つの枢着溝にそれぞれ対応する四つ枢着ラグが成形され、前記四つの枢着ラグのうちの二つに、二つの枢着軸をそれぞれ挿通し、前記上蓋は、前記台座に枢着され、前記台座に合せ可能であり、前記台座の側面のエッジと前記上蓋の側面のエッジの間に布シートが接合されていることを特徴とする、請求項１に記載の人体筋肉伸ばせ装置。
【請求項５】
前記上蓋に制御ユニットが設けられ、前記制御ユニットは、前記上蓋の表面に設けられる制御パネルと、前記台座の外部に設けられるスイッチと、を有することを特徴とする、請求項１に記載の人体筋肉伸ばせ装置。
【考案の詳細な説明】
【技術分野】
【０００１】
本考案は、人体の筋肉を伸ばせ可能な人体筋肉伸ばせ装置に関するものである。
【背景技術】
【０００２】
人体の筋肉は、力を発生して運動を招く組織であり、動作が適当ではなく、同じ姿勢を長時間に保持し、或いはストレスがある場合には、筋肉をリラックスすることができないため、筋肉がだるくて痛くなる。従来、人工による按摩又は按摩装置により、筋肉をリラックスすることが一般的である。
【０００３】
筋肉をリラックスする原理は、まず、筋肉を収縮させて、バネのようにゆっくり緩めることである。しかし、人工による按摩又は按摩装置は、掌又は按摩ブロックにより一部の筋肉を按摩するため、筋肉を完全にリラックスすることができない。
【０００４】
一方、人工による按摩は価格が高い。また、按摩装置を利用する場合には、按摩棒によれば、ユーザは手部、ネック部及び肩部の筋肉によって按摩棒を握ることが必要であるため、筋肉をリラックスする効果が良くなく、しかも按摩棒を握るための手部、ネック部及び肩部の筋肉をリラックスすることができない。椅子型の按摩装置によれば、体積が大きくて、価格が高くて、全てのユーザに適用することができないという問題があった。
【考案の概要】
【考案が解決しようとする課題】
【０００５】
本考案の主な目的は、昇降によって人体筋肉伸ばせ装置の人体と接触する表面の傾斜度を変化し、ひいては人体の姿勢を変化することにより、人体の筋肉を伸ばせることができ、そして人体のネック部、背部、腰部の関節をリラックスすることができる人体筋肉伸ばせ装置を提供することにある。
【０００６】
本考案の次の目的は、人体の筋肉の弾性を回復でき、人体の曲線を綺麗にすることができる人体筋肉伸ばせ装置を提供することにある。
【課題を解決するための手段】
【０００７】
本考案の人体筋肉伸ばせ装置によると、台座と、伝動手段と、昇降手段と、蓋と、上蓋と、少なくとも一つの弾性具と、を含み、
台座には、組付け部と、少なくとも一つの係り穴と、が成形され、組付け部の周面に組付け突起が複数設けられ、組付け部には、溝と、二つの連接ピンと、二つの収容空間と、が成形され、
伝動手段は、台座の組付け部に設けられ、二つの伝動ギヤと、モータと、を有し、二つの伝動ギヤは、一つの大径ギヤと、一つの小径ギヤと、をそれぞれ有し、モータは駆動軸を有し、駆動軸は、二つの伝動ギヤの間に設けられ、二つの伝動ギヤの大径ギヤと噛合い、二つの伝動ギヤは、それぞれ台座の二つの連接ピンに挿通され、モータは台座の溝に設けられ、
昇降手段は、台座の組付け部に設けられ、二つのギヤ軸と、二つのブッシュと、二つの押付具と、二つのねじ軸と、を有し、ギヤ軸は、その中段にギヤが成形され、その両端には、規制溝と、円形を呈する収容空間と、がそれぞれ設けられ、二つのギヤ軸のギヤは、それぞれ二つの伝動ギヤの小径ギヤと噛合い、規制溝は台座に向いているように設けられ、押付具は、多角形の断面形状を有し、ギヤ軸の収容空間に収容され、押付具の端部にねじ穴が設けられ、ブッシュに溝が設けられ、溝の底部には、押付具の形状に対応する多角穴が設けられ、ブッシュの溝はギヤ軸の収容空間の外部をカバーし、ねじ軸の一端に規制ブロックが設けられ、ねじ軸の規制ブロックが規制溝に収容され、
蓋は、その周面には、台座の組付け部の組付け突起に対応する組付け窪みが複数成形され、台座の二つの連接ピンに応じて二つの挿入溝が成形され、台座の二つの収容空間に応じて二つの収容窪みが成形され、各収容窪みには、押付具の形状に対応する規制穴が設けられ、台座と蓋を合せて締結して、伝動手段のモータが台座の溝と蓋の間に位置し、二つの連接ピンは二つの伝動ギヤを挿通して蓋の二つの挿入溝に固定され、昇降手段のギヤ軸は、台座の収容空間と蓋の収容窪みの間に収容され、
上蓋は、台座に合せるように枢着され、台座の係り穴に対応する箇所で少なくとも一つの係り穴が設けられ、
弾性具は、両端にフックがそれぞれ設けられ、二つのフックのうちの一つが台座の係り穴に係止され、二つのフックのうちの残りは、上蓋の係り穴に係止され、
伝動手段は昇降手段のギヤ軸を駆動して、ギヤ軸がねじ軸と共に回転し、且つ押付具は、蓋の規制穴に規制されて、ねじ軸に沿って変位し、これにより、上蓋の昇降を制御できることを特徴とする。
【０００８】
本考案の人体筋肉伸ばせ装置によると、台座と上蓋とには、二つの係り穴がそれぞれ設けられ、台座と上蓋の間に二つの弾性具が設けられ、台座と上蓋とに設けられる係り穴に、各弾性具の二つのフックをそれぞれ係止されていることを特徴とする。
【０００９】
本考案の人体筋肉伸ばせ装置によると、上蓋の外部に押付面が設けられ、押付面に按摩玉が複数成形されることを特徴とする。
【００１０】
本考案の人体筋肉伸ばせ装置によると、台座の二つの伝動ギヤに近接する周面に枢着部が設けられ、枢着部に四つの枢着溝が成形され、上蓋には、四つの枢着溝にそれぞれ対応する四つ枢着ラグが成形され、四つの枢着ラグのうちの二つに、二つの枢着軸をそれぞれ挿通し、上蓋は、台座に枢着され、台座に合せ可能であり、台座の側面のエッジと上蓋の側面のエッジの間に布シートが接合されていることを特徴とする。
【００１１】
本考案の人体筋肉伸ばせ装置によると、上蓋に制御ユニットが設けられ、制御ユニットは、上蓋の表面に設けられる制御パネルと、台座の外部に設けられるスイッチと、を有することを特徴とする。
【考案の効果】
【００１２】
本考案の人体筋肉伸ばせ装置によれば、次のような効果がある。
（１）昇降によって人体筋肉伸ばせ装置の人体と接触する表面の傾斜度を変化し、ひいては人体の姿勢を変化することにより、人体の筋肉を伸ばせることができ、そして人体のネック部、背部、腰部の関節をリラックスすることができる。
【００１３】
（２）人体の筋肉の弾性を回復でき、人体の曲線を綺麗にすることができる。
【図面の簡単な説明】
【００１４】
【図１】本考案の一実施例の分解斜視図である。
【図２】本考案の一実施例の組合済み状態を示す斜視図である。
【図３】本考案の一実施例の組合済み状態を示す上面図である。
【図４】図３における４-４線の断面図である。
【図５】図３における５-５線の断面図である。
【図６】図３における６-６線の断面図である。
【図７】図３における７-７線の断面図である。
【図８】図７の別の実施の態様を示す断面図である。
【図９ａ】本考案の一実施例が人体のネックの背部の筋肉の伸ばせに利用される状態を示す模式図である。
【図９ｂ】本考案の一実施例が人体の腿部の筋肉の伸ばせに利用される状態を示す模式図である。
【図９ｃ】本考案の一実施例が人体の腰部の筋肉の伸ばせに利用される状態を示す模式図である。
【考案を実施するための最良の形態】
【００１５】
以下、本考案の実施の形態を図面に基づいて説明する。
まず、図１乃至図７を参照する。本考案の一実施例の人体筋肉伸ばせ装置は、台座１０と、伝動手段２０と、昇降手段３０と、蓋４０と、上蓋５０と、少なくとも一つの弾性具６０と、を含む。
【００１６】
台座１０には、組付け部１０１と、少なくとも一つの係り穴１６と、が成形される。組付け部１０１の周面に組付け突起１１が複数設けられる。組付け部１０１には、溝１２と、二つの連接ピン１３と、二つの収容空間１４と、が成形される。
【００１７】
伝動手段２０は、台座１０の組付け部１０１に設けられ、伝動ギヤ２１、２２と、モータ２３と、を有する。伝動ギヤ２１、２２は、一つの大径ギヤ２１１、２２１と、一つの小径ギヤ２１２、２２２と、をそれぞれ有する。伝動ギヤ２１、２２の軸心に挿入穴２１３、２２３がそれぞれ設けられる。モータ２３は駆動軸２３１を有する。駆動軸２３１は、伝動ギヤ２１、２２の間に設けられ、伝動ギヤ２１、２２の大径ギヤ２１１、２２１と噛合う。伝動ギヤ２１、２２の挿入穴２１３、２２３は、それぞれ台座１０の連接ピン１３、１３に挿通される。モータ２３は台座１０の溝１２に設けられる。
【００１８】
昇降手段３０は、台座１０の組付け部１０１に設けられ、ギヤ軸３１、３１と、ブッシュ３２、３２と、押付具３３、３３と、ねじ軸３４、３４と、を有する。ギヤ軸３１は、その中段にギヤ３１１が成形され、その両端には、規制溝３１２と、円形を呈する収容空間３１３と、がそれぞれ設けられ、規制溝３１２が台座１０に向いているように設けられる。ギヤ軸３１のギヤ３１１は、それぞれ伝動ギヤ２１、２２の小径ギヤ２１２、２２２と噛合う。ギヤ軸３１の規制溝３１２と収容空間３１３の間は、貫通孔３１４を介して連通する。押付具３３は、その端部にねじ穴３３１が設けられ、多角形の断面形状を有し、ギヤ軸３１の収容空間３１３に収容される。
【００１９】
ブッシュ３２に溝３２１が設けられ、溝３２１によりギヤ軸３１の収容空間３１３がカバーされる。溝３２１の底部には、押付具３３の形状に対応する多角穴３２２が設けられる。ねじ軸３４の一端に規制ブロック３４１が設けられる。ねじ軸３４は、規制溝３１２から貫通孔３１４を挿通して収容空間３１３に挿入して、押付具３３のねじ穴３３１と噛合う。規制ブロック３４１は規制溝３１２に収容される。本実施例では、ギヤ軸３１の規制溝３１２とねじ軸３４の規制ブロック３４１とは円形を呈しない。これにより、ギヤ軸３１はねじ軸３４を駆動できる。
【００２０】
蓋４０は、その周面には、台座１０の組付け部１０１の組付け突起１１に対応する組付け窪み４１が複数成形され、台座１０の連接ピン１３、１３に応じて挿入溝４２、４２がそれぞれ成形され、台座１０の収容空間１４、１４に応じて収容窪み４３、４３がそれぞれ成形される。各収容窪み４３には、押付具３４の形状に対応する規制穴４３１が設けられる。台座１０と蓋４０を合せて締結して、伝動手段２０のモータ２３が台座１０の溝１２と蓋４０の間に位置し、連接ピン１３、１３はそれぞれ伝動ギヤ２１、２２を挿通して蓋４０の挿入溝４２、４２に固定される。昇降手段３０のギヤ軸３１は、台座１０の収容空間１４と蓋４０の収容窪み４３の間に収容される。
【００２１】
上蓋５０は、凹み構造を呈し、台座１０に合せるように枢着され、台座１０の係り穴１６に対応する箇所で少なくとも一つの係り穴５３が設けられる。本実施例では、上蓋５０の外部に押付面５１が設けられる。押付面５１は、人体のネック部、背部、腰部及び腿部などの部位と接触する。押付面５１に按摩玉５１１が複数設けられる。これにより、按摩効果を向上することができる。
【００２２】
また、台座１０と上蓋５０の枢着構造は、台座１０の伝動ギヤ２１、２２に近接する周面に枢着部１５が設けられる。枢着部１５に四つの枢着溝１５１が成形される。各枢着溝１５１は二つの枢着片１５２を合せて構成される。上蓋５０には、四つの枢着溝１５１にそれぞれ対応する四つ枢着ラグ５２が成形される。二つの枢着ラグ５２に二つの枢着軸５２１をそれぞれ挿通する。上蓋５０は、台座１０に枢着され、台座１０に合せ可能である。
【００２３】
弾性具６０の両端にフック６１がそれぞれ設けられる。二つのフック６１のうちの一つが台座１０の係り穴１６に係止される。二つのフック６１のうちの残りは、上蓋５０の係り穴５３に係止される。本実施例では、弾性具６０が二つあり、弾性具６０、６０は、台座１０と上蓋５０を合せて構成される開口に対称に設けられる。弾性具６０により、昇降手段３０の押付具３３が内側に後退するときに、上蓋５０は台座１０と合せることができることを確保する。
【００２４】
これにより、伝動手段２０は昇降手段３０のギヤ軸３１を駆動して、ギヤ軸３１がねじ軸３４と共に回転する。そして押付具３３は、蓋４０の規制穴４３１に規制されて、ねじ軸３４に沿って変位し、これにより、上蓋５０の昇降を制御できる。
【００２５】
また、図１及び図３に示すように、上蓋５０に制御ユニット７０が設けられる。制御ユニット７０は、上蓋５０の表面に設けられる制御パネル７１と、台座１０の外部に設けられるスイッチ７２と、を有する。図７、図９のａ及び図９のｂに示すように、台座１０の側面のエッジと上蓋５０の側面のエッジの間に布シート８０が接合されている。図８に示すように、上蓋５０は、その側面のエッジがある厚さを有し、面積が台座１０よりも大きい。これにより、上蓋５０を上昇するときには、上蓋５０が依然として台座１０をカバーすることができる。
【００２６】
図３、図５及び図７を参照する。本考案の一実施例の人体筋肉伸ばせ装置の昇降運転の方式は、伝動手段２０のモータ２３により伝動ギヤ２１、２２を駆動して回転して、昇降手段３０のギヤ軸３１が駆動されて、ギヤ軸３１内に設けられるねじ軸３４が回転する。ギヤ軸３１の内部にある押付具３３は、多角形の断面形状を有し、蓋４０の規制穴４３１に規制されるため、ねじ軸３４が回転しているときに、押付具３３がねじ軸３４に沿って上蓋５０を押上げて、上蓋５０の傾斜度を変化する。これにより、上蓋５０に寄る人体は上蓋５０に押上げられて姿勢が変化する。図９ａ乃至図９ｃに示したのは、本考案の一実施例の人体筋肉伸ばせ装置が人体のネック部、腿部及び腰部に利用される状態である。上蓋５０の上昇による傾斜度の変化と、押付面５１の円弧度とにより、人体の筋肉及び脊椎の関節が緩和的に伸ばせられる。このように、人体の筋肉の弾性を回復でき、人体の曲線を綺麗にすることができる。
【産業上の利用可能性】
【００２７】
本考案は、健康器に適用することができる。
【符号の説明】
【００２８】
１０：台座
１１：組付け突起
１２：溝
１３：連接ピン
１４：収容空間
１５：枢着部
１６：係り穴
２０：伝動手段
２１：伝動ギヤ
２２：伝動ギヤ
２３：モータ
３０：昇降手段
３１：ギヤ軸
３２：ブッシュ
３３：押付具
３４：ねじ軸
４０：蓋
４１：組付け窪み
４２：挿入溝
４３：収容窪み
５０：上蓋
５１：押付面
５２：枢着ラグ
５３：係り穴
６０：弾性具
６１：フック
７０：制御ユニット
７１：制御パネル
７２：スイッチ
８０：布シート
１０１：組付け部
１５１：枢着溝
１５２：枢着片
２１１：大径ギヤ
２１２：小径ギヤ
２１３：挿入穴
２２１：大径ギヤ
２２２：小径ギヤ
２２３：挿入穴
２３１：駆動軸
３１１：ギヤ
３１２：規制溝
３１３：収容空間
３１４：貫通孔
３２１：溝
３２２：多角穴
３３１：ねじ穴
３４１：規制ブロック
４３１：規制穴
５１１：按摩玉
【図１】
0003172226.tif 000003
【図２】
0003172226.tif 000004
【図３】
0003172226.tif 000005
【図４】
0003172226.tif 000006
【図５】
0003172226.tif 000007
【図６】
0003172226.tif 000008
【図７】
0003172226.tif 000009
【図８】
0003172226.tif 000010
【図９ａ】
0003172226.tif 000011
【図９ｂ】
0003172226.tif 000012
【図９ｃ】
0003172226.tif 000013